(57)【要約】【課題】静止画像が印刷に適するかをモニタで簡単に判断可能にする。【解決手段】印刷設定を記憶する印刷設定記憶手段と、撮像手段により撮像される画像データが印刷に適しているか否かを印刷設定記憶手段に記憶された印刷設定に従って判断する印刷適正判断手段と、を有する。さらに印刷適正判断手段による判断の結果に応じて、画像データに重畳させて表示される印刷ガイドの表示形態を制御する表示制御手段とを有することで、簡単に画像が印刷に適するかを判断することが可能となる。【選択図】図６
2008072524.tif 000002
【特許請求の範囲】
【請求項１】
印刷設定を記憶する印刷設定記憶手段と、
撮像手段により撮像される画像データが印刷に適しているか否かを前記印刷設定記憶手段に記憶された前記印刷設定に従って判断する印刷適正判断手段と、
前記印刷適正判断手段による判断の結果に応じて、前記画像データに重畳させて表示される印刷ガイドの表示形態を制御する表示制御手段とを有することを特徴とする情報処理装置。
【請求項２】
前記印刷適正判断手段は、前記画像データのサイズに基づき判断することを特徴とする請求項１に記載の情報処理装置。
【請求項３】
前記印刷適正判断手段は、前記画像データに含まれる画像の特徴部分と、前記印刷ガイドとの相対位置関係に基づき判断することを特徴とする請求項１に記載の情報処理装置。
【請求項４】
前記画像データが、スティッチ画像撮影で得られた画像データであるときは、前記表示制御手段は、前記印刷ガイドを非表示、もしくは警告を示す表示を行うように表示制御することを特徴とする請求項１に記載の情報処理装置。
【請求項５】
画像データを記憶する画像データ記憶手段と、
印刷設定を記憶する印刷設定記憶手段と、
前記画像データ記憶手段に記憶されている前記画像データを表示する表示手段と、
前記表示手段に表示される前記画像データが印刷に適しているか否かを、前記印刷設定記憶手段に記憶された前記印刷設定に応じて判断する印刷適正判断手段と、
前記印刷適正判断手段による判断結果に応じて、前記表示手段に表示される印刷ガイドの表示形態を制御する表示制御手段とを有することを特徴とする情報処理装置。
【請求項６】
表示された前記画像データの任意の領域を選択する領域選択手段と、
前記領域選択手段にて選択された前記領域をトリミングする画像トリミング手段とをさらに有し、
前記画像トリミング手段にて前記画像データのトリミングを行う場合は、前記領域選択手段にて選択された前記領域内に前記印刷ガイドの表示を行い、
前記印刷適正判断手段が印刷に適さないと判断した前記画像データをトリミング指示する場合は、前記表示制御手段は、前記印刷ガイドを非表示、もしくは警告を示す表示を行うように表示制御することを特徴とする請求項５に記載の情報処理装置。
【請求項７】
前記印刷適正判断手段は、前記画像データに含まれる画像の特徴部分と、前記印刷ガイドとの相対位置関係に基づき判断することを特徴とする請求項６に記載の情報処理装置。
【請求項８】
印刷設定を記憶する印刷設定記憶ステップと、
撮像手段により撮像される画像データが印刷に適しているか否かを前記印刷設定記憶ステップで記憶された前記印刷設定に従って判断する印刷適正判断ステップと、
前記印刷適正判断ステップによる判断の結果に応じて、前記画像データに重畳させて表示される印刷ガイドの表示形態を制御する表示制御ステップとを有することを特徴とする情報処理装置の制御方法。
【請求項９】
前記印刷適正判断ステップは、前記画像データのサイズに基づき判断することを特徴とする請求項８に記載の情報処理装置の制御方法。
【請求項１０】
前記印刷適正判断ステップは、前記画像データに含まれる画像の特徴部分と、前記印刷ガイドとの相対位置関係に基づき判断することを特徴とする請求項８に記載の情報処理装置の制御方法。
【請求項１１】
前記画像データが、スティッチ画像撮影で得られた画像データであるときは、前記表示制御ステップは、前記印刷ガイドを非表示、もしくは警告を示す表示を行うように表示制御することを特徴とする請求項８に記載の情報処理装置の制御方法。
【請求項１２】
画像データを記憶する画像データ記憶ステップと、
印刷設定を記憶する印刷設定記憶ステップと、
前記画像データ記憶ステップで記憶されている前記画像データを表示する表示ステップと、
前記表示ステップに表示される前記画像データが印刷に適しているか否かを、前記印刷設定記憶ステップで記憶された前記印刷設定に応じて判断する印刷適正判断ステップと、
前記印刷適正判断ステップによる判断結果に応じて、前記表示ステップで表示される印刷ガイドの表示形態を制御する表示制御ステップとを有することを特徴とする情報処理装置の制御方法。
【請求項１３】
表示された前記画像データの任意の領域を選択する領域選択ステップと、
前記領域選択手段にて選択された前記領域をトリミングする画像トリミングステップとをさらに有し、
前記表示制御ステップは、
前記画像トリミングステップにて前記画像データのトリミングを行う場合は、前記領域選択ステップにて選択された前記領域内に前記印刷ガイドの表示を行い、
前記印刷適正判断ステップが印刷に適さないと判断した前記画像データをトリミング指示する場合は、前記印刷ガイドを非表示、もしくは警告を示す表示を行うように表示制御することを特徴とする請求項１２に記載の情報処理装置の制御方法。
【請求項１４】
前記印刷適正判断ステップは、前記画像データに含まれる画像の特徴部分と、前記印刷ガイドとの相対位置関係に基づき判断することを特徴とする請求項１３に記載の情報処理装置の制御方法。
【請求項１５】
請求項８から１４の何れか１項に記載の情報処理装置の制御方法の手順をコンピュータに実行させるプログラム。
【請求項１６】
請求項８から１４の何れか１項に記載の情報処理装置の制御方法の手順が記述されたプログラムが記憶されたコンピュータ可読記憶媒体。
【発明の詳細な説明】
【技術分野】
【０００１】
本発明は、印刷を前提とした情報処理装置、当該情報処理装置の制御方法等に関する
【背景技術】
【０００２】
デジタルカメラにて撮影された画像のアスペクト比と、その画像を印刷する印刷用紙のアスペクト比とが異なる場合、画像の印刷ができない、印刷して欲しい領域が印刷されない等の問題が生ずるおそれがある。このような問題を解決する方法として次のような技術がある。例えば、特許文献１には、どの領域が印刷されるかを判断するために、指定された印刷サイズに応じた枠をスルー画像上に表示する技術が記載されている。また、特許文献２には、印刷用紙のアスペクト比に応じた枠を光学ビューファインダ内に表示する技術が記載されている。
【特許文献１】特開２００４−２０７８１３号公報
【特許文献２】特開２００４−１０４４９８号公報
【発明の開示】
【発明が解決しようとする課題】
【０００３】
しかしながら、これらの文献に記載されたデジタルカメラでは、ユーザが撮影しようとする画像が印刷に適した画像であるか否かを判断することなく、印刷サイズ又は印刷用紙に応じた枠を表示してしまう。したがって、ユーザは撮影しようとする画像が印刷に適した画像であるか否かを判断しづらいという問題がある。また、このような問題は、ユーザが撮影しようとする画像を印刷する場合に限るものではなく、撮影した画像、トリミングした画像等を印刷する場合においても同様に生ずるおそれがある。そのため、ユーザは、撮影した画像、トリミングした画像等を印刷する場合にも、これらの画像が印刷に適した画像であるか否かを判断しづらいという問題がある。
【０００４】
そこで、本発明は、ユーザが撮影しようとする画像、撮影した画像、トリミングした画像等が印刷のサイズに適しているか否かをユーザに判断させることが可能な情報処理装置等を提供することを目的とする。
【課題を解決するための手段】
【０００５】
本発明に係る情報処理装置は、例えば、
印刷設定を記憶する印刷設定記憶手段と、
撮像手段により撮像される画像データが印刷に適しているか否かを前記印刷設定記憶手段に記憶された前記印刷設定に従って判断する印刷適正判断手段と、
前記印刷適正判断手段による判断の結果に応じて、前記画像データに重畳させて表示される印刷ガイドの表示形態を制御する表示制御手段とを有する。
【０００６】
本発明に係る他の情報処理装置は、例えば、
画像データを記憶する画像データ記憶手段と、
印刷設定を記憶する印刷設定記憶手段と、
前記画像データ記憶手段に記憶されている前記画像データを表示する表示手段と、
前記表示手段に表示される前記画像データが印刷に適しているか否かを、前記印刷設定記憶手段に記憶された前記印刷設定に応じて判断する印刷適正判断手段と、
前記印刷適正判断手段による判断結果に応じて、前記表示手段に表示される印刷ガイドの表示形態を制御する表示制御手段とを有する。
【０００７】
本発明に係る制御方法は、例えば、
印刷設定を記憶する印刷設定記憶ステップと、
撮像手段により撮像される画像データが印刷に適しているか否かを前記印刷設定記憶ステップで記憶された前記印刷設定に従って判断する印刷適正判断ステップと、
前記印刷適正判断ステップによる判断の結果に応じて、前記画像データに重畳させて表示される印刷ガイドの表示形態を制御する表示制御ステップとを有する。
【０００８】
本発明に係る他の制御方法は、例えば、
画像データを記憶する画像データ記憶ステップと、
印刷設定を記憶する印刷設定記憶ステップと、
前記画像データ記憶ステップで記憶されている前記画像データを表示する表示ステップと、
前記表示ステップに表示される前記画像データが印刷に適しているか否かを、前記印刷設定記憶ステップで記憶された前記印刷設定に応じて判断する印刷適正判断ステップと、
前記印刷適正判断ステップによる判断結果に応じて、前記表示ステップで表示される印刷ガイドの表示形態を制御する表示制御ステップとを有する。
【発明の効果】
【０００９】
本発明によれば、画像表示部に印刷ガイド枠表示、警告表示等を行うことで、ユーザが撮影しようとする画像、撮影した画像、トリミングした画像等が印刷のサイズに適しているか否かをユーザに判断させることが可能となる。
【発明を実施するための最良の形態】
【００１０】
＜実施形態１＞
以下、添付した図面を参照して本発明の実施形態１に係る情報処理装置の一例である撮像装置を説明する。なお、撮像装置は、デジタルカメラとして機能する装置であればよく、デジタルカメラ、デジタルビデオカメラ、デジタルカメラ付き携帯電話等を含む。
【００１１】
図１は、撮像装置１００の主要な構成要素を示すブロック図である。図１において、１０は撮影レンズである。この撮影レンズ１０は、固定レンズ１１、変倍レンズ１２Ａ、補正レンズ１２Ｂ、及びフォーカスレンズ１３とで構成される４群型インナーフォーカス式ズームレンズである。変倍レンズ１２Ａと補正レンズ１２Ｂは、図示はしないが、カム機構により、両者の位置関係が規制されながら光軸に沿って移動し、焦点距離を変更するように構成されている。これら変倍レンズ１２Ａと補正レンズ１２Ｂは、ズームレンズ１２とする。
【００１２】
１４は絞り機構とシャッタ機構を有するシャッタユニット、１５は光学像を電気信号に変換する固体撮像素子、１６は固体撮像素子１５から出力されるアナログの画像信号をディジタルの画像データに変換するＡ／Ｄ変換回路である。
【００１３】
１８は、固体撮像素子１５、Ａ／Ｄ変換回路１６、Ｄ／Ａ変換回路２６等にクロック信号や制御信号を供給するタイミング発生回路であり、メモリ制御回路２２及びシステム制御回路５０により制御される。また、２０は画像処理回路であり、Ａ／Ｄ変換回路１６からの画像データ、或いはメモリ制御回路２２からの画像データに対して所定の画素補間処理や色変換処理を行う。
【００１４】
また、画像処理回路２０においては、撮像して得られた画像データを用いて所定の演算処理を行い、得られた演算結果に基づいてシステム制御回路５０が、露光制御回路４０及び測距制御回路４２を制御する。これにより、ＴＴＬ（スルーザレンズ）方式のＡＦ（オートフォーカス）処理、ＡＥ（自動露出）処理及びＥＦ（フラッシュプリ発光）処理を行う。
【００１５】
測距制御回路４２にて使用されるＡＦ（オートフォーカス）評価値は、画像処理回路２０において、Ａ／Ｄ変換回路１６から入力される画像データの高周波成分を抽出する。そしてその画像データの高周波成分の絶対値を求め、その絶対値データを所定領域内にて積算したデータがＡＦ評価値とされる。
【００１６】
さらに、画像処理回路２０においては、撮像して得られた画像データを用いて所定の演算処理を行い、得られた演算結果に基づいてＴＴＬ方式のＡＷＢ（オートホワイトバランス）処理も行う。
【００１７】
２２はメモリ制御回路であり、Ａ／Ｄ変換回路１６、タイミング発生回路１８、画像処理回路２０、画像表示メモリ回路２４、Ｄ／Ａ変換回路２６、メモリ回路３０、圧縮伸長回路３２等を制御する。Ａ／Ｄ変換回路１６から出力される画像データが画像処理回路２０、メモリ制御回路２２を介し、或いはＡ／Ｄ変換回路１６からの画像データが直接メモリ制御回路２２を介して、画像表示メモリ回路２４或いはメモリ回路３０に書き込まれる。
【００１８】
２４は画像表示メモリ回路、２６はＤ／Ａ変換回路、２８はＴＦＴ型ＬＣＤ等から成る画像表示部であり、画像表示メモリ回路２４に書き込まれた表示用の画像データはＤ／Ａ変換回路２６を介し、画像表示部２８により表示される。
【００１９】
画像表示部２８を用いて撮像した画像データを逐次表示すれば、電子ビューファインダ機能を実現することが可能である。また画像処理回路２０で作成されたヒストグラムを表示することも可能である。画像表示部２８は、システム制御回路５０の指示により任意に表示をＯＮ／ＯＦＦすることが可能であり、表示をＯＦＦにした場合には撮像装置１００の電力消費を大幅に低減することができる。
【００２０】
３０は撮影した静止画像データや動画像データを格納するためのメモリ回路であり、所定枚数の静止画像データや所定時間の動画像データを格納するのに十分な記憶容量を有している。また、メモリ回路３０はシステム制御回路５０の作業領域としても使用することが可能である。
【００２１】
３２は適応離散コサイン変換（ＡＤＣＴ）等により画像データを圧縮伸長する圧縮伸長回路であり、メモリ回路３０に格納された画像データを読み込み、圧縮処理或いは伸長処理を行い、処理を終えた画像データをメモリ回路３０に書き込む。
【００２２】
４０は、絞り機構とシャッタ機構を有するシャッタユニット１４を制御する露光制御回路であり、フラッシュ４８と連携することによりフラッシュ調光機能も有するものである。４２はフォーカスレンズ１３を制御する測距制御回路である。露光制御回路４０、測距制御回路４２は、ＴＴＬ方式を用いて制御されている。４４はズームレンズ１２を制御するズーム制御回路である。
【００２３】
４８はコネクタであり、アクセサリシューとも呼ばれ、フラッシュ装置４００との電気接点や機械的な固定手段も合わせて有している。フラッシュ装置４００は、フラッシュ４０４が、コネクタ４０２とコネクタ４８を介して制御される構成とされている。フラッシュ装置４００はＡＦ補助光の投光機能、フラッシュ調光機能も有する。
【００２４】
５０は撮像装置１００全体を制御するシステム制御回路、５２はシステム制御回路５０の動作用の定数、変数、プログラム等を記憶するメモリ回路である。５４はシステム制御回路５０でのプログラムの実行に応じて、文字、画像、音声等を用いて動作状態やメッセージ等を表示する液晶表示装置、スピーカ等を有する表示部である。表示部５４は、撮像装置１００の操作部近辺の視認し易い位置に単数或いは複数個所設置され、例えばＬＣＤやＬＥＤ、発音素子等の組み合わせにより構成される。また、表示部５４は、その一部の機能が光学ビューファインダ１０４内に設置されている。
【００２５】
表示部５４の表示内容のうち、ＬＣＤ等に表示するものとしては、シングルショット／連写撮影表示、セルフタイマー表示、圧縮率表示、画像サイズ表示、記録枚数表示、残撮影可能枚数表示、シャッタスピード表示、絞り値表示、露出補正表示等がある。さらに、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示等がある。
【００２６】
また、表示部５４の表示内容のうち、光学ビューファインダ１０４内に表示するものとしては、合焦表示、手振れ警告表示、フラッシュ充電表示、シャッタスピード表示、絞り値表示、露出補正表示等がある。
【００２７】
５６は電気的に消去記録可能な不揮発性メモリ回路であり、例えばＥＥＰＲＯＭ等が用いられる。この不揮発性メモリ回路５６には、ユーザが設定した情報や、後述する印刷可能記録サイズなどが格納されている。印刷可能記録サイズとは、印刷を行うのに最適と撮像装置メーカが判断した記録サイズが記録されている。この印刷可能記録サイズをユーザが変更することも可能である。この印刷可能記録サイズは、印刷する用紙のサイズ毎に記録されている。
【００２８】
６０、６２、６４、６６、及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２９】
次に、これらの操作手段の具体的な構成の説明を行う。６０はモードダイアルで、電源オフ、自動撮影モード、撮影モード、パノラマ撮影モード、再生モード、マルチ画面再生・消去モード、等の各機能モードを切り替えて設定することができる。また、６２はシャッタスイッチＳＷ１で、不図示のシャッタボタンの操作途中（半押し込み）でＯＮとなる。そしてＡＦ処理、ＡＥ処理、ＡＷＢ処理、ＥＦ処理等の動作開始を指示する。
【００３０】
さらに、６４はシャッタスイッチＳＷ２で、不図示のシャッタボタンの操作完了（全押し込み）でＯＮとなる。シャッタスイッチＳＷ２がＯＮとなると、固体撮像素子１５から読み出した信号をＡ／Ｄ変換回路１６、メモリ制御回路２２を介してメモリ回路３０に画像データを書き込む露光処理、画像処理回路２０等が動作を開始する。さらに、メモリ制御回路２２での演算を用いた現像処理、メモリ回路３０から画像データを読み出し、圧縮伸長回路３２で圧縮を行い、記録媒体２００に画像データを書き込む記録処理という一連の処理の動作開始を指示する。
【００３１】
６６は画像表示ＯＮ／ＯＦＦスイッチで、画像表示部２８のＯＮ／ＯＦＦを設定することができる。この機能により、光学ビューファインダ１０４を用いて撮影を行う際に、ＴＦＴ型ＬＣＤ等から成る画像表示部２８への電流供給を遮断することにより、省電力を図ることが可能となる。
【００３２】
７０はＭＦスイッチで、ユーザがフォーカスレンズを操作しフォーカシングを行う、マニュアルフォーカスモードに設定することができる。７２はメニュースイッチで、このスイッチを押すことから、メニュー画面に入り、各機能のＯＮ、ＯＦＦ切り替えや、撮影設定のパラメータの選択を行う。このメニュー画面にて操作性パラメータテーブルの選択も行うことができる。
【００３３】
７４は各種ボタンやタッチパネル等からなる操作部で、セットボタン、キャンセルボタン、マクロボタン、マルチ画面再生改ページボタン、フラッシュ設定ボタン、単写／連写／セルフタイマー切り替えボタン等の機能を有する。さらに、メニュー移動＋（プラス）ボタン、メニュー移動−（マイナス）ボタン、再生画像移動＋（プラス）ボタン、再生画像−（マイナス）ボタン等の機能も有する。さらに、撮影画質選択ボタン、露出補正ボタン、日付／時間設定ボタン、パノラマモード等の撮影及び再生を実行する際に各種機能の選択及び切り替えを設定する選択／切り替えボタン等の機能を有する。
【００３４】
さらに、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ等の機能も有する。また、撮影直後に撮影した画像データを自動再生するレックレビュー機能を設定するレックレビューＯＮ／ＯＦＦスイッチ、画像サイズを設定する画像サイズ選択スイッチ等も有する。さらにまた、ＪＰＥＧ圧縮の圧縮率を選択する、或いは固体撮像素子１５の信号をそのままディジタル化して記録媒体に記録するＣＣＤＲＡＷモードを選択するためのスイッチである圧縮モードスイッチを有する。
【００３５】
さらに、再生モード、マルチ画面再生・消去モード、ＰＣ接続モード等の各機能モードを設定することができる再生モードスイッチ等も有する。また、撮影モード状態において、撮影した画像をメモリ回路３０或いは記録媒体２００から読み出して画像表示部２８によって表示する再生動作の開始を指示する再生スイッチ、撮影した画像の消去を行う画像消去スイッチ等も有する。
【００３６】
８０は電源制御回路で、電池検出回路、ＤＣ−ＤＣコンバータ、通電するブロックを切り替えるスイッチ回路等により構成される。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタ、８６はアルカリ電池やリチウム電池等の一次電池や、ＮｉＣｄ電池、ＮｉＭＨ電池、Ｌｉ電池等の二次電池、ＡＣアダプター等からなる電源である。
【００３７】
９０はメモリカードやハードディスク等の記録媒体とのインタフェース、９２はメモリカードやハードディスク等の記録媒体と接続を行うコネクタ、９８はコネクタ９２に記録媒体２００が装着されているか否かを検知する記録媒体着脱検知回路である。
【００３８】
なお、本実施形態では記録媒体を取り付けるインタフェース及びコネクタを１系統として説明している。もちろん、記録媒体を取り付けるインタフェース及びコネクタは、単数或いは複数、いずれの系統数を有する構成としても構わない。また、異なる規格のインタフェース及びコネクタを組み合わせて有する構成としても構わない。
【００３９】
インタフェース及びコネクタとしては、ＰＣＭＣＩＡカードやＣＦ（コンパクトフラッシュ）カード等の規格に準拠したものを用いて構成して構わない。
【００４０】
さらに、インタフェース９０、そしてコネクタ９２をＰＣＭＣＩＡカードやＣＦ（コンパクトフラッシュ）カード等の規格に準拠したものを用いて構成することができる。これにより、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することが可能となる。したがって、他のコンピュータやプリンタ等の周辺機器との間で画像データや画像データに付属した管理情報を転送し合うことができる。
【００４１】
１０４は光学ビューファインダであり、画像表示部２８による電子ビューファインダ機能を使用すること無しに、光学ビューファインダ１０４のみを用いて撮影を行うことが可能である。また、光学ビューファインダ１０４内には、表示部５４の一部の機能、例えば、合焦表示、手振れ警告表示、フラッシュ充電表示、シャッタスピード表示、絞り値表示、露出補正表示等が設置されている。
【００４２】
１１０は通信回路で、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信回路１１０により撮像装置１００を他の機器と接続するコネクタ或いは無線通信の場合はアンテナである。
【００４３】
２００はメモリカードやハードディスク等の記録媒体である。記録媒体２００は、半導体メモリや磁気ディスク等から構成される記録部２０２、撮像装置１００とのインタフェース（Ｉ／Ｆ）２０４、撮像装置１００と接続を行うコネクタ２０６を有している。
【００４４】
次に、図２に示すフローチャートを参照して実施形態１の動作を説明する。
【００４５】
例えば、電池交換等の電源投入により処理が開始され、まずステップＳ１０１において、システム制御回路５０はフラグや制御変数等を初期化し、さらにステップＳ１０２に進み、画像表示部２８の画像表示をＯＦＦ状態に初期設定する。
【００４６】
次にステップＳ１０３で、システム制御回路５０は、モードダイアル６０の設定位置を判断し、モードダイアル６０が電源ＯＦＦに設定されていたならばステップＳ１０５に進む。そして、ステップＳ１０５では、フラグや制御変数等を含む必要なパラメータや設定値、設定モードを不揮発性メモリ回路５６に記録する。さらに、電源制御回路８０により画像表示部２８を含む撮像装置１００各部の不要な電源を遮断する等の所定の終了処理を行った後、ステップＳ１０３に戻る。
【００４７】
ステップＳ１０３で、モードダイアル６０が撮影モードに設定されていたならば、ステップＳ１０６に進む。しかし、モードダイアル６０がその他のモードに設定されていたならばステップＳ１０４に進み、システム制御回路５０は選択されたモードに応じた処理を実行し、処理を終えたならば、又ステップＳ１０３に戻る。
【００４８】
ステップ１０６では、システム制御回路５０は、電源制御回路８０により電池等により構成される電源８６の残容量や動作情況が撮像装置１００の動作に問題があるか否かを判断する。もし問題があるならば、ステップＳ１０８に進み、表示部５４を用いて画像や音声により所定の警告表示を行った後にステップＳ１０３に戻る。
【００４９】
電源８６に問題が無いならばステップＳ１０７に進み、システム制御回路５０は記録媒体２００の動作状態が撮像装置１００の動作、特に記録媒体２００に対する画像データの記録再生動作に問題があるか否かを判断する。ステップＳ１０７で、問題があるとされるならば、ステップＳ１０８に進み、表示部５４を用いて画像や音声により所定の警告表示を行った後にステップＳ１０３に戻る。記録媒体２００の動作状態に問題が無いならばステップＳ１０９に進む。
【００５０】
ステップＳ１０９では、設定されている撮影モードを判断し、動画撮影モードに設定されていた場合は、ステップ１１０に進み、印刷ガイド枠表示モードか否かの判断を行う。印刷ガイド枠表示モードとは、予めユーザに設定されている印刷紙のアスペクト比に応じて画像表示部２８に印刷ガイド枠が表示されるモードである。アスペクト比は、３:４、１:２、１６：９等からユーザが選択することができる。もちろん、その他のアスペクト比を設定することも可能である。表示される印刷ガイド枠の内側が実際に印刷される領域を表す。
【００５１】
印刷ガイド枠が表示された場合の画像表示部２８は、図５の５Ａに示す画像を表示する。５００は、画像表示部２８の表示画面を示し、上下に付された５１０が印刷ガイド枠である。印刷ガイド枠表示モードは、予めユーザが設定することが可能である。もしくは撮像装置１００のモードに応じて、印刷ガイド枠表示モードがシステム制御回路５０により設定される。印刷ガイド枠表示モードではない場合は、ステップＳ１１１に進み、図５の５Ｂのように画像表示部２８を用いて、撮像した画像データを表示し、電子ビューファインダをＯＮにし、処理を終了する。印刷ガイド枠表示モードの場合は、ステップＳ１１２に進み、設定されている画像データの１フレームサイズを、不揮発性メモリ回路５６に記憶されれている印刷可能記録サイズと比較する。
【００５２】
ステップＳ１１２で、画像データの１フレームサイズが印刷に適していると判断した場合は、次にステップＳ１１３に進み、顔検出モードか否かを判断する。本実施形態では、「顔」としているが、これはユーザが設定している「オブジェクト」でも良い。すなわち、通常「顔」は、画像データの重要部分であるので、印刷時に「顔」が欠けないようにするために、「顔」を設定するものである。したがって、いわゆる、ポートレート以外の撮影においては、「顔」ではない他の、ユーザが考える重要な画像部分を設定することも可能である。本明細書の説明では、「顔」を例として説明する。
【００５３】
顔検出モードで無い場合は、ステップＳ１１４において、設定されている印刷ガイド情報に基づき、図５の５Ａのように、画像表示部２８を用いて、撮像した画像データと印刷ガイド枠５１０のみを表示し、電子ビューファインダをＯＮにし、処理を終了する。
【００５４】
一方、顔検出モードの場合は、次にステップＳ１１５に進み、「顔」を検出しているかの判断を行う。「顔」の検出は、画像データを解析し、「顔」の特徴を有する画像データ部分の検出を行う。たとえば、「目」、「鼻」及び「口」の特徴を有した画像データ領域が検出できれば、「顔」が検出可能である。
【００５５】
「顔」を検出していた場合は、ステップＳ１１６に進み、次に検出した「顔」が印刷ガイド枠５１０に重なるか否かの判断を行う。検出した「顔」の顔枠５０１が、図６の６Ａに示すように、印刷ガイド枠５１０に重ならない場合は、ステップＳ１１４に進む。そして、設定されている印刷ガイド情報に基づき、画像表示部２８を用いて、撮像した画像データと印刷ガイド枠５１０を表示し、電子ビューファインダをＯＮにし、処理を終了する。
【００５６】
しかし、図６の６Ｂに示すように、検出した「顔」の顔枠５０１が印刷ガイド枠５１０にかかる場合は、ステップＳ１１７に進み、設定されている印刷ガイド情報に基づき、印刷ガイド枠５１０を非表示設定、もしくは警告色にする。そして、撮像した画像データを表示し、電子ビューファインダをＯＮにし、処理を終了する。または、警告音を鳴らしながら撮像した画像データを表示し、電子ビューファインダをＯＮにし、処理を終了する。もしくは、警告マークを表示しながら、撮像した画像データを表示し、電子ビューファインダをＯＮにし、処理を終了する。
【００５７】
印刷ガイド枠５１０を非表示にするか、警告色にするか、非表示にして警告音を鳴らすか、警告色にして警告音を鳴らすか、非表示にして警告マークを表示するか、警告色にして警告マークを表示するかは、ユーザが自由に設定することができる。もしくは、それぞれ、どの警告にするかを撮影モードなどの撮像装置１００の設定によりシステム制御回路５０が判断して行うことも可能である。例えば、顔検出モード時で、「顔」の顔枠５０１が印刷ガイド枠５１０にかかる場合は、印刷ガイド枠５１０を非表示ではなく、警告色にした方が視覚的に判断できる。しがたって、警告色モードを選択したり、シーンモードで美術館などを選択している場合は、警告音ではなく、警告色もしくは非表示が自動的に選択される等が可能である。
【００５８】
図６の６Ｂは、印刷ガイド枠５１０を警告色にした場合の画像表示部２８の表示画面５００である。５０１は検出した「顔」を示す顔枠５０１である。また、図６の６Ｃが、警告マークを表示した場合の画像表示部２８の表示画面５００である。５０５は、警告アイコンである。この画面では、印刷ガイド枠５１０は非表示とされている。
【００５９】
１フレームのサイズが印刷に適していないと判断した場合は、ステップＳ１１７に進む。そして、設定されている情報に基づき、印刷ガイド枠５１０を非表示に設定、もしくは警告を行い、撮像した画像データを表示し、電子ビューファインダをＯＮにして処理を終了する。非表示、警告のパターンは前述した通りである。
【００６０】
図７の７Ａが、印刷ガイド枠５１０を警告色にした場合の画像表示部２８の表示画面５００である。図７の７Ｂが、警告マーク５０５を表示した場合の画像表示部２８の表示画面５００である。
【００６１】
設定されている撮影モードが、スティッチ撮影モードに設定されている場合は、次にステップＳ１１８に進み、印刷ガイド枠表示モードか否かの判断を行う。スティッチ撮影モードとは複数枚の画像を撮影し、その画像データを合成し一枚の画像データを作成するモードである。ステップＳ１１８で、印刷ガイド枠表示モードではない場合は、ステップＳ１１９に進み、図８の８Ａで示すように、画像表示部２８を用いて、撮像した画像データを表示し、電子ビューファインダをＯＮにし、処理を終了する。一方、印刷ガイド枠表示モードの場合は、ステップＳ１１７に進み、印刷ガイド枠５１０を非表示に設定、もしくは警告を行い、撮像した画像データを表示し、電子ビューファインダをＯＮにし、処理を終了する。非表示、警告のパターンは先に説明した通りである。
【００６２】
これは、スティッチ撮影モードは、画像をつなぐ可能性が高いため、１枚、１枚の撮影画像データは印刷に適さないと判断するためである。もちろん、スティッチ撮影モードにて印刷ガイド枠５１０を表示する設定を行うことも可能である。図８の８Ｂが、印刷ガイド枠５１０を警告色にした場合の画像表示部２８の表示画面５００である。また、図８の８Ｃが、警告マーク５０５を表示した場合の画像表示部２８の表示画面５００である。
【００６３】
ステップＳ１０９において、設定されている撮影モードが静止画撮影モードであった場合は、次にステップＳ１２０に進み、印刷ガイド枠表示モードか否かの判断を行う。なお、静止画モードにおける画像表示部２８での表示形態は、動画撮影モード時と同様であるので、ここでの説明は省略する。
【００６４】
ステップＳ１２０において、電子印刷ガイド枠表示モードでない場合は、画像表示部２８に撮像した画像データを表示し、電子ビューファインダ機能をＯＮにし、処理を終了する。一方、印刷ガイド枠表示モードの場合は、ステップＳ１２１に進み、設定されている静止画のサイズを、不揮発性メモリ回路５６に記憶されている印刷可能記録サイズと比較する。静止画のサイズが印刷に適していると判断した場合は、次にステップＳ１２２に進み、顔検出モードかを判断する。
【００６５】
本実施形態では、「顔」としているが、これはユーザが設定している「オブジェクト」でも良い。顔検出モードで無い場合は、ステップＳ１２３に進み、設定されている印刷ガイド情報に基づき、画像表示部２８を用いて、撮像した画像データと印刷ガイド枠５１０を表示し、電子ビューファインダをＯＮにし、処理を終了する。印刷ガイド情報は、前述した通りである。
【００６６】
顔検出モードの場合は、次にステップＳ１２４に進み、「顔」を検出しているかの判断を行う。「顔」を検出していない場合は、ステップＳ１２３に進む。そして、設定されている印刷ガイド情報に基づき、画像表示部２８を用いて、撮像した画像データと印刷ガイド枠５１０を表示し、電子ビューファインダをＯＮにし、処理を終了する。「顔」を検出していた場合は、次にステップＳ１２５に進み、検出した「顔」の顔枠５０１が印刷ガイド枠５１０に重なるか否かの判断を行う。
【００６７】
検出した「顔」の顔枠５０１が印刷ガイド枠５１０に重ならない場合は、ステップＳ１２３に進む。そして、設定されている印刷ガイド情報に基づき、画像表示部２８を用いて、撮像した画像データと印刷ガイド枠５１０を表示し、電子ビューファインダをＯＮにし、処理を終了する。
【００６８】
検出した「顔」の顔枠５０１が印刷ガイド枠５１０に重なる場合は、ステップＳ１１７に進む。そして、設定されている情報に基づき、印刷ガイド枠５１０を非表示設定、もしくは警告を行い、撮像した画像データを表示し、電子ビューファインダをＯＮにし、処理を終了する。
【００６９】
静止画のサイズが印刷に適していないと判断した場合は、ステップＳ１１７に進む。そして、設定されている情報に基づき、印刷ガイド枠５１０を非表示に設定、もしくは警告を行い、撮像した画像データを表示し、電子ビューファインダをＯＮにし、処理を終了する。非表示、警告のパターンは前述した通りである。
【００７０】
＜実施形態２＞
次に、本発明の実施形態２について説明する。本発明の実施形態２が適用可能な撮像装置は、実施形態１で説明した撮像装置１００であってもよく、したがって、実施形態２が適用可能な撮像装置の具体的構成を示すブロック図の説明は省略する。
【００７１】
例えば、電池交換等の電源投入により処理が開始され、まずステップＳ２０１において、システム制御回路５０はフラグや制御変数等を初期化し、さらにステップＳ２０２に進み、画像表示部２８の画像表示をＯＦＦ状態に初期設定する。
【００７２】
次にステップＳ２０３で、システム制御回路５０は、モードダイアル６０の設定位置を判断し、モードダイアル６０が電源ＯＦＦに設定されていたならばステップＳ２０５に進む。そして、フラグや制御変数等を含む必要なパラメータや設定値、設定モードを不揮発性メモリ回路５６に記録する。さらに、電源制御回路８０により画像表示部２８を含む撮像装置１００各部の不要な電源を遮断する等の所定の終了処理を行った後、ステップＳ２０３に戻る。
【００７３】
ステップＳ２０３で、モードダイアル６０が撮影モードに設定されていたならば、ステップＳ２０６に進む。しかし、モードダイアル６０がその他のモードに設定されていたならばステップＳ２０４に進み、システム制御回路５０は選択されたモードに応じた処理を実行し、処理を終えたならば、又ステップＳ２０３に戻る。
【００７４】
ステップ２０６では、システム制御回路５０は、電源制御回路８０により電池等により構成される電源８６の残容量や動作情況が撮像装置１００の動作に問題があるか否かを判断する。もし問題があるならば、ステップＳ２０８に進み、表示部５４を用いて画像や音声により所定の警告表示を行った後にステップＳ２０３に戻る。
【００７５】
しかし、電源８６に問題が無いならばステップＳ２０７に進み、システム制御回路５０は記録媒体２００の動作状態が撮像装置１００の動作、特に記録媒体２００に対する画像データの記録再生動作に問題があるか否かを判断する。ステップＳ２０７で、問題があるとされるならば、ステップＳ２０８に進み、表示部５４を用いて画像や音声により所定の警告表示を行った後にステップＳ２０３に戻る。記録媒体２００の動作状態に問題が無いならばステップＳ２０９に進む。
【００７６】
次にステップＳ２０９では、システム制御回路５０のメモリ回路５２へ記録部２０２から画像データを読み込む。そして、ステップＳ２１０に進み、このときに印刷ガイド表示モードか否かの判断を行う。印刷ガイド表示モードで無い場合は、ステップＳ２１１に進み、画像表示部２８に画像を表示し、処理を終了する。なお、再生モードにおける画像表示部２８の表示画面５００での表示形態は、実施形態１で示した動画撮影モード時と同様であるので、ここでの説明は省略する。
【００７７】
一方、ステップＳ２１０で印刷ガイド表示モードの場合は、次にステップＳ２１２に進み、印刷ガイド枠表示モードにて撮影された画像データか否かの判断を行う。この判断は、画像を撮影し記録する際に画像データのヘッダ情報などとして付加されている。付加される情報内容としては、印刷ガイド枠表示モードにて撮影されたか、印刷に適しているサイズであるか、さらに、警告の種類等を含む。
【００７８】
印刷ガイド枠表示モードにて撮影された画像データであると判断された場合は、次にステップＳ２１３に進み、付加された情報を基に印刷に適した画像データであるか否か判断を行う。印刷に適した画像データと判断された場合は、ステップＳ２１４に進み、印刷ガイド枠５１０を画像データと合わせて、画像表示部２８の表示画面で表示する。
【００７９】
一方、印刷に適していない画像だと判断された場合は、付加された情報に基づき、印刷ガイド枠５１０の非表示、もしくは警告を伴い、画像データを画像表示部２８へ表示し、処理を終了する。警告の種類に関しては、実施形態１で説明した通りである。どのように表示するかについては、画像に付加されている情報に基づく場合と、再生時では、どのように警告を行うか設定している情報に基づく場合があり、どちらに基づいて行うかは、ユーザが選択する。
【００８０】
印刷ガイド枠表示モードにて撮影された画像データではない場合は、次にステップＳ２１６に進み、撮影した画像が印刷に適したサイズか否かの判断を行う。印刷に適したサイズでない場合はステップＳ２１９に進み、設定に基づき印刷ガイド枠５１０の非表示、もしくは警告を行い、画像を画像表示部２８へ表示し、処理を終了する。尚、警告の種類は実施形態１で説明した通りである。
【００８１】
印刷に適したサイズであった場合は、次にステップＳ２１７に進み、「顔」を検出しているか否かの判断を行う。なおこの実施形態では「顔」としているが、これがユーザが設定した「オブジェクト」などでも同様である。
【００８２】
「顔」を検出していない場合はステップＳ２１４に進み、印刷ガイド枠５１０を画像と合わせて、画像表示部２８へ表示し、処理を終了する。「顔」を検出している場合は、次にステップＳ２１８に進み、印刷ガイド枠５１０と「顔」の顔枠５０１が重なるか否か判断を行う。
【００８３】
印刷ガイド枠５１０に「顔」の顔枠５０１が重なる場合は、ステップＳ２１９に進み、設定に基づき印刷ガイド枠５１０の非表示、もしくは警告を行い、画像データを画像表示部２８の表示画面５００に表示し、処理を終了する。尚、警告の種類は、実施形態１で説明した通りである。
【００８４】
印刷ガイド枠５１０に「顔」の顔枠５０１が重ならない場合は、ステップＳ２１４に進み、印刷ガイド枠５１０を画像と合わせて、画像表示部２８へ表示する。
【００８５】
＜実施形態３＞
次に、本発明の実施形態３を説明する。本発明の実施形態３が適用可能な撮像装置は、実施形態１で説明した撮像装置１００であってもよく、したがって、実施形態３が適用可能な撮像装置の具体的構成を示すブロック図の説明は省略する。
【００８６】
さらに、処理の開始から、ステップＳ３０１から３０７までのステップは、実施形態１のステップＳ１０１からＳ１０７及び実施形態２のステップＳ２０１から２０７までのステップと同じであり、説明は省略する。
【００８７】
まず、記録媒体２００からメモリ回路３０へ記録した画像データを読み込むステップＳ３０９から説明する。その後ステップＳ３１０に進み、読み込んだ画像データを画像表示部２８へ表示する。次にステップＳ３１１では、印刷ガイド枠付きトリミングモードが選択されているか否かの判断を行う。印刷ガイド枠付きトリミングモードで無ければ、ステップＳ３１０に戻る。印刷ガイド枠付きトリミングモードの場合は、次にステップＳ３１２に進み、印刷ガイド付きトリミング枠（以下「トリミング枠」という）５５０を画像表示部２８の表示画面５００に表示する。
【００８８】
図９の９Ａは、トリミング枠５５０が表示された画像表示部２８の表示画面５００である。トリミング枠５５０は、予めユーザが設定してある印刷紙のアスペクト比に応じて表示される。次にステップＳ３１３に進み、トリミング枠５５０がユーザにより操作されたか否かの判断を行う。トリミング枠５５０が操作されていなければ、次にステップＳ３１９に進み、トリミングの操作を行うかの判断を行う。
【００８９】
トリミングを行わない場合は、トリミング枠５５０がユーザにより操作されているか否かの判断のステップＳ３１３に戻る。トリミングを行う場合はステップＳ３２０に進み、ユーザが選択した領域の画像データを切り取り、メモリ回路３０へ保存し、処理を終了する。トリミングした画像データをメモリ回路３０から記録媒体２００へ保存するかは、ユーザが選択することができる。
【００９０】
トリミング枠５５０がユーザにより操作されていた場合は、ステップＳ３１４に進み、その操作に応じてトリミング枠５５０のサイズを変更する。次にステップＳ３１５に進み、トリミング枠５５０にて選択されているトリミングサイズが印刷に適したサイズか否かの判断を行う。印刷に適したサイズかの判断基準は、実施形態１に示した通りである。
【００９１】
トリミング枠５５０にて選択されているトリミングサイズが印刷に適さないサイズの場合は、ステップＳ３１６に進み、トリミング枠５５０の印刷ガイド枠５１０を非表示、もしくは警告を行う。警告の種類に関しては実施形態１に示した通りである。
【００９２】
図９の９Ｂが、トリミング枠５５０の印刷ガイド枠５１０を警告色にした場合の画像表示部２８の表示画面５００である。図９の９Ｃが、警告マーク５０５を表示した場合の画像表示部２８の表示画面５００である。
【００９３】
次にステップＳ３１９に進み、トリミングを行うかの判断を行う。トリミングを行わない場合は、トリミング枠５５０がユーザにより操作されているかの判断のステップＳ３１３に戻る。トリミングを行う場合はステップＳ３２０に進み、ユーザが選択した領域の画像データを切り取り、メモリ回路３０へ保存し、処理を終了する。
【００９４】
トリミング枠５５０にて選択されているトリミングサイズが印刷に適したサイズの場合は、次にステップＳ３１７に進み、「顔」を検出しているかの判断を行う。本実施形態では、「顔」としているが、これはユーザが選択した「オブジェクト」でも良い。「顔」を検出していない場合は、次にステップＳ３１９に進み、トリミングを行うかの判断を行う。
【００９５】
トリミングを行わない場合は、トリミング枠５５０がユーザにより操作されているかの判断のステップＳ３１３に戻る。トリミングを行う場合は、ステップＳ３２０に進み、ユーザが選択した領域の画像データを切り取り、メモリ回路３０へ保存し、処理を終了する。「顔」を検出している場合の画像表示部２８を図１０の１０Ａにて示す。次にステップＳ３１８に進み、印刷ガイド枠５１０に、検出した「顔」の顔枠５０１が重なるか否かの判断を行う。印刷ガイド枠５１０に「顔」の顔枠５０１が重ならない場合は、次にステップＳ３１９に進み、トリミングを行うかの判断を行う。
【００９６】
トリミングを行わない場合は、トリミング枠５５０がユーザにより操作されているかの判断のステップＳ３１３に戻る。一方トリミングを行う場合は、ステップＳ３２０に進み、ユーザが選択した領域の画像データを切り取り、メモリ回路３０へ保存し、処理を終了する。
【００９７】
印刷ガイド枠５１０に「顔」の顔枠５０１が重なる場合は、ステップＳ３１６に進み、印刷ガイド枠５１０を非表示、もしくは警告を行う。この警告の種類に関しては実施形態１に示したものと同じものが使用される。図１０の１０Ｂが、印刷ガイド枠５１０を警告色にした場合の画像表示部２８の表示画面５００である。図１０の１０Ｃが、警告マーク５０５を表示した場合の画像表示部２８の表示画面５００である。
【００９８】
次にステップＳ３１９に進み、トリミングを行うかの判断を行う。トリミングを行わない場合は、トリミング枠５５０がユーザにより操作されているかの判断のステップＳ３１３に戻る。しかし、トリミングを行う場合は、ステップＳ３２０に進み、ユーザが選択した領域の画像データを切り取り、メモリ回路３０へ保存し、処理を終了する。
【００９９】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【０１００】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【０１０１】
さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１０２】
さらに、記憶媒体から読出されたプログラムコードが、コンピュータに挿入された機能拡張ボードやコンピュータに接続された機能拡張ユニットに備わるメモリに書き込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１０３】
【図１】本発明の実施形態として適用可能な情報処理装置としての撮像装置の主要な構成要素を示すブロック図である。
【図２】本発明の実施形態１の動作を説明するためのフローチャートである。
【図３】本発明の実施形態２の動作を説明するためのフローチャートである。
【図４】本発明の実施形態３の動作を説明するためのフローチャートである。
【図５】本発明の実施形態１、２の動作を説明するための表示画面を示す図である。
【図６】本発明の実施形態１、２の、他の動作を説明するための表示画面を示す図である。
【図７】本発明の実施形態１、２の、さらに他の動作を説明するための表示画面を示す図である。
【図８】本発明の実施形態１、２の、さらに他の動作を説明するための表示画面を示す図である。
【図９】本発明の実施形態３の動作を説明するための表示画面を示す図である。
【図１０】本発明の実施形態３の、他の動作を説明するための表示画面を示す図である。
【図１】
2008072524.tif 000003
【図２】
2008072524.tif 000004
【図３】
2008072524.tif 000005
【図４】
2008072524.tif 000006
【図５】
2008072524.tif 000007
【図６】
2008072524.tif 000008
【図７】
2008072524.tif 000009
【図８】
2008072524.tif 000010
【図９】
2008072524.tif 000011
【図１０】
2008072524.tif 000012